(57)【要約】ハウジング（１）と、このハウジング（１）に回動自在に接続され、ばね（８）の力に抗して開いた位置から閉じた位置へ回動し得るひげ剃りヘッドホルダ（２）とを備えるひげ剃り器であって、このホルダの閉じた位置におけるハウジングにひげ剃りヘッドホルダをラッチしたり、又はこのホルダの閉じた位置におけるハウジングからひげ剃りヘッドホルダをアンラッチするためのラッチ手段（１０乃至１３）を備えるひげ剃り器に関する。ひげ剃り時に皮膚の輪郭をたどる特性を改善するために、その閉じた位置におけるひげ剃りヘッドホルダ（２）は、ばね（８）の力に抗して押し下げられることができる。
2005524504.tif 000002
【特許請求の範囲】
【請求項１】
ハウジングと、
ひげ挿入孔をもつ外側切断部材及び前記外側切断部材に対して回転され得る内側切断部材を有する少なくとも一つの切断ユニットを備え、ピボットピンを中心に回動自在であるように前記ハウジングに接続され、ばねの動きに抗して、前記ハウジングに対して開いた位置にある第１の位置から、前記ハウジングに対して閉じた位置にある第２の位置へ回動されることが可能である、ひげ剃りヘッドホルダと、を有するひげ剃り器であって、
ラッチ手段が、前記ハウジングの上に前記第２の位置における前記ひげ剃りヘッドホルダをラッチしたり、又は前記ハウジングから前記ひげ剃りヘッドホルダをアンラッチするために存在する、ひげ剃り器において、
前記第２の位置における前記ひげ剃りヘッドホルダが、前記ばねの動きに抗して、短い距離にわたって押し下げられることが可能であることを特徴とする、ひげ剃り器。
【請求項２】
前記ラッチ手段が、前記ハウジングに置かれるラッチ用カムを有し、該ラッチ用カムが、前記ばねの動きに抗して、前記ひげ剃りヘッドホルダのラッチされた位置からアンラッチされる位置へ変位されることができ、前記ひげ剃りヘッドホルダの前記第２の位置では、前記ラッチ用カムが、前記ハウジングの上に前記ひげ剃りヘッドホルダをラッチするために、前記ひげ剃りヘッドホルダの壁部の背後に掛合し、前記ひげ剃りヘッドホルダのエッジ部が、前記ハウジングの反対側のエッジ部からある距離を隔てたところに置かれ、前記ひげ剃りヘッドホルダが、前記距離にわたって回動自在に押し下げられ得ることを特徴とする、請求項１に記載のひげ剃り器。
【請求項３】
前記ハウジングが直立した壁部を具備し、この壁部の高さは、前記ひげ剃りヘッドホルダが押し下げられることが可能な前記距離を上回ることを特徴とする、請求項１又は２に記載のひげ剃り器。
【発明の詳細な説明】
【技術分野】
【０００１】
本発明は、ハウジングと、ひげ挿入孔をもつ外側切断部材及びこの外側切断部材に対して回転され得る内側切断部材を有する少なくとも一つの切断ユニットを備え、ピボットピンを中心に回動自在であるようにハウジングに接続され、ばねの動きに抗して、ハウジングに対して開いた位置にある第１の位置から、ハウジングに対して閉じた位置にある第２の位置へ回動されることが可能である、ひげ剃りヘッドホルダと、を有するひげ剃り器であって、ラッチ手段が、ハウジングの上に第２の位置におけるひげ剃りヘッドホルダをラッチしたり、又はこのハウジングからひげ剃りヘッドホルダをアンラッチするために存在する、ひげ剃り器に関する。
【背景技術】
【０００２】
このようなひげ剃り器は、米国特許第４３１８２２３号明細書から知られている。ひげ剃りをより容易にするために、ひげ剃りヘッドとも称される切断ユニット及び／又はひげ剃りヘッドホルダが、取っ手も形成するひげ剃り器のハウジングに対してわずかに浮動するように及び／又は傾斜を変えることができるように具現化され得ることが知られている。この長所によって、外側切断部材の外面によって形成されるひげ剃り面は、より簡単に顔の表面の輪郭をたどることができる。その結果、皮膚の下のように届くのがより困難である顔の表面を剃るために、ユーザは、（一つ又は複数の）ひげ剃りヘッドがあれば、こうした顔の表面に届くために手首を多く余分に動かす必要はない。当該のひげ剃り器は、このように顔の輪郭をたどる。傾斜を変えることが可能なひげ剃りヘッドホルダを備えたひげ剃り器は、例えば、米国特許第４６８８３２９号明細書及び米国特許第５００７１６８号明細書から知られており、傾斜を変えることが可能な切断ユニットを備えたひげ剃り器は、例えば、米国特許第３９１３２２５号明細書及び米国特許第５６２５９５０号明細書から知られている。
【発明の開示】
【発明が解決しようとする課題】
【０００３】
本発明の目的は、冒頭段落に記載されたひげ剃り器のひげ剃りヘッドホルダを、簡単な手段を用いて、操作状態においてばねの動きに抗して押し下げられ得るようにすることにある。
【課題を解決するための手段】
【０００４】
この目的を達成するために、本発明によるひげ剃り器は、第２の位置におけるひげ剃りヘッドホルダが、ばねの動きに抗して短い距離にわたって押し下げられることが可能であることを特徴とする。
【０００５】
ひげ剃りヘッドホルダがハウジングに対して閉じた位置にあり、ひげ剃りにとって通常の操作位置であるこの第２の位置では、ひげ剃りヘッドホルダは、このひげ剃りヘッドホルダが肌に押し付けられるとき、ばねの動きに抗して押し下げられることができる。このことにより、ひげ剃りヘッドホルダがそのピボットピンを中心に回動するようになる。
【０００６】
ばねの動きに抗して押し下げられ得るこのようなひげ剃りヘッドホルダは、ラッチ手段が、ハウジングに置かれるラッチ用カムを有し、このラッチ用カムが、ばねの動きに抗して、ひげ剃りヘッドホルダのラッチ(latch)された位置からアンラッチ(unlatch)される位置へ変位されることができ、ひげ剃りヘッドホルダの第２の位置では、このラッチ用カムが、ハウジングの上にひげ剃りヘッドホルダをラッチするために、ひげ剃りヘッドホルダの壁部の背後に掛合（hook，フック）し、ひげ剃りヘッドホルダのエッジ部が、ハウジングの反対側のエッジ部からある距離を隔てたところに置かれ、上記のひげ剃りヘッドホルダが、この距離にわたって回動自在に（pivotably）押し下げられ得ることを特徴とする実施形態において実現されることができる。それゆえ、ラッチされた状態では、ひげ剃りヘッドホルダが、回転に抗して開いた位置に係止（lock，ロック）される。好ましくは、ラッチ手段が、ピボットピンとは反対側のハウジングのエッジに置かれる。
【０００７】
本発明によるひげ剃り器の他の実施形態は、ハウジングが直立した壁部を具備し、この壁部の高さは、ひげ剃りヘッドホルダが押し下げられることが可能な距離を上回ることを特徴とする。この方策の結果、ひげ剃りヘッドホルダの第２の閉じた位置では、ひげ剃りヘッドホルダの反対側のエッジ部とハウジングとの間に隙間はない。従って、切断されたひげ部分が、ひげ室(hair chamber)の内部にとどまることが確実にされる。
【０００８】
本発明のこれら及び他の態様は、本明細書の以下に説明される実施形態から明らかになると共に、これらの実施形態を参照して明瞭に説明されるであろう。  
【発明を実施するための最良の形態】
【０００９】
図１は、ハウジング１と、このハウジングに回動自在に接続されるひげ剃りヘッドホルダ２とを有するロータリー式ひげ剃り器を示している。このひげ剃りヘッドホルダは、ひげ剃りヘッドとも称される３つの切断ユニット３を収容し、これらのヘッドそれぞれが、ひげ挿入孔５をもつ外側切断部材４と、この外側切断部材４に対して回転自在に駆動され得る内側ひげ切断部材６とを有している。この内側切断部材は、ひげ剃り器のハウジングにおけるモータ（図示せず）によって知られているやり方で駆動される。
【００１０】
図２ａでは、ひげ剃りヘッドホルダ２は、このホルダがハウジング１に対して開いた位置にある第１の位置において示されている。ひげ剃りヘッドホルダ２は、ばねピボットによってハウジング１に接続されている。このばねピボットは、コイルばね８をもつピボットピン７を備えており、このばねピボットの各端部が、ひげ剃りヘッドホルダと、ハウジングとに締め付けられている。ばねの力は、コイルばねが開いた位置においてひげ剃りヘッドホルダを保持するのに足りる力である。開いた位置において、ひげ剃りヘッドホルダ２とハウジング１との間にあるひげ室９及び切断ユニットは、洗浄されることができる。
【００１１】
図２ｂでは、ひげ剃りヘッドホルダ２は、このホルダがハウジング１に対して閉じた位置にある第２の位置において示されている。この閉じた位置は、コイルばね８の動きに抗して開いた位置からひげ剃りヘッドホルダを回動させることによって得られる。閉じた位置において、ひげ剃りヘッドホルダは、ラッチ手段によってハウジング１にラッチ（係合）される。上記のラッチ手段は、図３に示されており、ハウジング１に収容されるラッチ用アーム１０を含み、押し下げられ得るフック状のラッチ用カム１１と、このカムと協働するひげ剃りヘッドホルダ２の壁部１２とを具備している。ラッチ用カム１１は、上記のアーム１０の一端に置かれ、このアームの他端が、ハウジングに回動自在に収容されている。このアームの両端間には、ハウジング１の開口１４を通って突き出る操作ノブ１３がある。この操作ノブ１３を用いて、ラッチ用カム１１は、ばね１５によってかけられたばね圧の動きに抗して、ひげ剃りヘッドホルダ２のラッチされた位置からアンラッチされる位置へ変位されることができる。ラッチされた位置では、ラッチ用カム１１は、ひげ剃りヘッドホルダの壁部１２の背後に掛合し、後者のホルダがコイルばね８の動きに抗してハウジング１にラッチされるようになり、すなわち、ひげ剃りヘッドホルダが、開いた位置に回動することを防止される。図３に示されるように、ひげ剃りヘッドホルダ２のエッジ部１６は、ハウジング１のエッジ部１７からある距離Ｄを隔てたところにある。この距離Ｄは、ひげ剃りヘッドホルダが、ばね８の動きに抗してハウジングに関して回動自在に押し下げられることができる距離である。図２ｃでは、ひげ剃りヘッドホルダが完全に押し下げられ、エッジ部１６及びエッジ部１７が、互いに接触する状況が示されている。更に、ハウジング１は、直立した壁部１８を具備している（図２ａ及び２ｂも参照）。この壁部の高さＨは、エッジ部１６とエッジ部１７との間の距離Ｄを上回る。この直立した壁部は、ひげ剃りヘッドホルダの閉じた操作位置において、切断されたひげ部分が、エッジ部１６とエッジ部１７との間を通ることによって外部に逃げ出す可能性を防ぐものである。
【００１２】
他のラッチ手段を用いるならば、一方では、ひげ剃りヘッドホルダがハウジングに対して閉じた位置にあり、ひげ剃りにとって通常の操作位置である第２の位置において、ひげ剃りヘッドホルダが開いた第１の位置に回動し得ることを当該の他のラッチ手段が防ぐものであり、他方では、ひげ剃りヘッドホルダがばねの動きに抗して押し下げられ得ることを当該の他のラッチ手段が可能にするものであるという条件の下であれば、他のラッチ手段を用いることも可能であることは明らかであるだろう。例えば、操作ノブ１３を、ラッチ用カム１１とは反対側のひげ剃りヘッドホルダの壁開口における別個のノブとして設けることが可能である。このようなノブを押し下げることによって、ラッチ用カム１１が押し戻され、ひげ剃りヘッドホルダはアンラッチされる。
【図面の簡単な説明】
【００１３】
【図１】３つの切断ユニットを有するひげ剃りヘッドホルダを備えたひげ剃り器の斜視図である。
【図２ａ】ひげ剃りヘッドホルダが、ひげ剃り器のハウジングに対して開いた位置にある、図１のひげ剃り器を示す図である。
【図２ｂ】ひげ剃りヘッドホルダが、押し下げられていない位置においてハウジングの上にラッチされている、図１のひげ剃り器を示す図である。
【図２ｃ】ひげ剃りヘッドホルダが完全に押し下げられている、図２ｂのひげ剃り器を示す図である。
【図３】ひげ剃りヘッドホルダ用のラッチ手段の断面図である。
【図１】
2005524504.tif 000003
2005524504.tif 000004
【図３】
2005524504.tif 000005
【国際調査報告】
2005524504.tif 000006
2005524504.tif 000007
2005524504.tif 000008